(57)【特許請求の範囲】
【請求項１】
粉状の低品位炭及び油分の混合によりスラリーをスラリー調製槽で調製する工程と、
加熱により上記スラリーに含まれる水分を蒸発させる工程と、
上記蒸発工程後のスラリーを固液分離器で固液分離する工程と
を備える固形燃料の製造方法であって、
上記蒸発工程が、
上記スラリーを第一の循環経路で予熱する工程と、
上記予熱後のスラリーを上記第一の循環経路と異なる第二の循環経路で加熱する工程と
を有し、
上記予熱工程の加熱媒体として上記蒸発工程で発生し圧縮器によって圧縮されたプロセス蒸気を用い、上記加熱工程の加熱媒体として外部導入蒸気を用い、
上記蒸発工程で発生した上記プロセス蒸気の一部を凝縮器によって凝縮し、上記凝縮器によって凝縮された凝縮液を油水分離器によって油水分離し、上記油水分離器によって分離された油分を上記スラリー調製槽に還流することを特徴とする固形燃料の製造方法。
【請求項２】
上記予熱工程及び加熱工程で、多管式熱交換器を用い、シェル側に加熱媒体、チューブ側に上記スラリーを供給する請求項１に記載の固形燃料の製造方法。
【請求項３】
粉状の低品位炭及び油分を混合するスラリー調製槽と、
上記スラリーに含まれる水分を蒸発させるために加熱する複数の加熱器と、
上記加熱器により加熱されたスラリーからプロセス蒸気を分離する分離槽と
を備える固形燃料の製造装置であって、
上記複数の加熱器が、
上記スラリーを第一の循環経路で予熱する第一熱交換器と、
上記予熱後のスラリーを上記第一の循環経路と異なる第二の循環経路で加熱する第二熱交換器とを有し、
上記プロセス蒸気を分離槽から第一熱交換器に供給する経路、及び
この経路で分離槽と第一熱交換器との間に配され、プロセス蒸気を圧縮する圧縮器をさらに備え、
上記第一熱交換器が、加熱媒体として上記圧縮器によって圧縮されたプロセス蒸気を用い、上記第二熱交換器が、加熱媒体として外部導入蒸気を用い、
上記分離槽で分離された上記プロセス蒸気の一部を凝縮する凝縮器、及び
上記凝縮器によって凝縮された凝縮液を油水分離する油水分離器をさらに備え、
上記油水分離器によって分離された油分を上記スラリー調製槽に還流することを特徴とする固形燃料の製造装置。
【発明の詳細な説明】
【技術分野】
【０００１】
本発明は、固形燃料の製造方法及び固形燃料の製造装置に関する。
【背景技術】
【０００２】
従来、固形燃料は、火力発電等の燃料として利用されている。また、日本ではかかる固形燃料として瀝青炭が広く利用されている。しかしながら、瀝青炭は年々増産されているため現在では枯渇が危ぶまれており、これに代わる燃料として低品位炭の有効利用が危急の課題となっている。
【０００３】
しかしながら、低品位炭は、発熱量が低いことに加え自然発火の恐れがあるため、その利用については厳格なプロセスを必要とする。この点に関し、このような低品位炭を有効に利用すべく低品位炭を改質するためのプロセスがいくつか発案されている。しかしながら、これらのプロセスの多くは、処理条件が高温、高圧であるために装置の製造コストが嵩むほか、低品位炭の化学変化を伴うために多くの熱分解物質を含む廃水の処理負担が大きくなり、実用化が困難であった。
【０００４】
このような問題を解決すべく、本出願人は、低品位炭を有効に利用するための手段として改質褐炭プロセスを発案している。この改質褐炭プロセスを示す文献としては、特許第２７７６２７８号「多孔質炭を原料とする固形燃料及びその製造方法」が挙げられる。この公報所載の固形燃料の製造方法は、多孔質炭と油分とを混合して原料スラリーを得る工程と、原料スラリーを加熱して多孔質炭の脱水を進める工程と、脱水処理後のスラリーを固液分離する工程とを備える。この固形燃料の製造方法は、同一経路に設けられる予熱器及び蒸発器による原料スラリーの加熱によって多孔質炭の脱水を進めるもので、蒸発器で発生したプロセス蒸気を圧縮器で圧縮した上、このプロセス蒸気を蒸発器及び予熱器の加熱媒体として順次利用することを特徴としている。
【０００５】
しかしながら、この固形燃料の製造方法は、原料スラリーの全量を蒸発器に通して蒸発させるように構成されているため、蒸発器の出口側の温度は一定以上に保たれる必要がある。そのため、この固形燃料の製造方法は、蒸発器に供給される原料スラリーの温度を予め一定以上に高くしておく必要があると共に、プロセス蒸気の蒸発器への供給温度を高めておく必要がある。従って、この固形燃料の製造方法は、蒸発器における原料スラリー及びプロセス蒸気の温度差が小さくなるおそれが高い。その結果、この固形燃料の製造方法は、熱交換効率が低くなり、排熱を十分に利用できないおそれがある。
【先行技術文献】
【特許文献】
【０００６】
【特許文献１】特許第２７７６２７８号
【発明の概要】
【発明が解決しようとする課題】
【０００７】
本発明は、このような事情に鑑みてなされたものであり、熱交換効率を高めることでスラリーに含まれる水分を効率的に蒸発させることができる固形燃料の製造方法及び固形燃料の製造装置を提供することを目的とする。
【課題を解決するための手段】
【０００８】
上記課題を解決するためになされた発明は、粉状の低品位炭及び油分の混合によりスラリーを調製する工程と、加熱により上記スラリーに含まれる水分を蒸発させる工程と、上記蒸発工程後のスラリーを固液分離する工程とを備える固形燃料の製造方法であって、上記蒸発工程が、上記スラリーを第一の循環経路で予熱する工程と、上記予熱後のスラリーを上記第一の循環経路と異なる第二の循環経路で加熱する工程とを有することを特徴とする。
【０００９】
当該固形燃料の製造方法は、スラリーを第一の循環経路で予熱する工程と、予熱後のスラリーを第一の循環経路と異なる第二の循環経路で加熱する工程とを有するので、第一の循環経路でスラリーを予熱しつつ、この第一の循環経路による予熱と独立して第二の循環経路で予熱後のスラリーを加熱することができる。つまり、当該固形燃料の製造方法は、第一の循環経路でスラリーの一部を蒸発させ、第二の循環経路にスラリーの全量を通さないことで、各々の循環経路における熱交換効率の最適化を促進することができる。そのため、当該固形燃料の製造方法は、上記スラリーに含まれる水分を効率的に蒸発させることができる。
【００１０】
上記予熱工程及び加熱工程で、多管式熱交換器を用い、シェル側に加熱媒体、チューブ側に上記スラリーを供給するとよい。このように、上記予熱工程及び加熱工程で、多管式熱交換器を用い、シェル側に加熱媒体、チューブ側に上記スラリーを供給することによって、上記スラリーを容易かつ確実に予熱及び加熱することができる。
【００１１】
上記予熱工程及び加熱工程のいずれか一方の加熱媒体として上記蒸発工程で発生するプロセス蒸気を用い、他方の加熱媒体として外部導入蒸気を用いるとよい。このように、上記予熱工程及び加熱工程のいずれか一方の加熱媒体として上記蒸発工程で発生するプロセス蒸気を用いることによって、排熱を効果的に利用することができる。また、上記予熱工程及び加熱工程のいずれか一方の加熱媒体として上記プロセス蒸気を用い、他方の加熱媒体として外部導入蒸気を用いることによって、各々の循環経路における熱交換率を容易かつ確実に高めることができる。さらに、このような構成によると、操業トラブル等によってプロセス蒸気の発生量が減少した場合でも、他方の加熱媒体として外部導入蒸気を用いているので上記スラリーに含まれる水分の蒸発率の低下を抑制することができる。
【００１２】
上記予熱工程の加熱媒体が上記プロセス蒸気、上記加熱工程の加熱媒体が外部導入蒸気であるとよい。このように、上記予熱工程の加熱媒体として上記プロセス蒸気を用い、上記加熱工程の加熱媒体として外部導入蒸気を用いることによって、上記予熱工程における上記スラリー及びプロセス蒸気の熱交換率を容易かつ確実に高めることができる。つまり、上記予熱工程に供給されるある程度の温度を有するスラリーとプロセス蒸気とを熱交換することで、上記スラリーを効率的に予熱することができると共に、上記プロセス蒸気の凝縮を促進することができる。そのため、上記予熱工程における上記プロセス蒸気の熱変換率を高めることで排熱を効率的に利用することができる。
【００１３】
上記予熱工程の加熱媒体として上記プロセス蒸気を用い、上記加熱工程の加熱媒体として外部導入蒸気を用いると共に、上記プロセス蒸気が圧縮されているとよい。このように、上記プロセス蒸気が圧縮されていることによって、上記予熱工程における上記スラリー及びプロセス蒸気の熱交換率をさらに高めることで排熱をさらに効率的に利用することができる。
【００１４】
また、上記課題を解決するためになされた別の発明は、粉状の低品位炭及び油分を混合するスラリー調製槽と、上記スラリーに含まれる水分を蒸発させる複数の加熱器と、上記水分蒸発後のスラリーから液分を除去する固液分離器とを備える固形燃料の製造装置であって、上記複数の加熱器が、上記スラリーを第一の循環経路で予熱する第一熱交換器と、上記予熱後のスラリーを上記第一の循環経路と異なる第二の循環経路で加熱する第二熱交換器とを有することを特徴とする。
【００１５】
当該固形燃料の製造装置は、スラリーを第一の循環経路で予熱する第一熱交換器と、予熱後のスラリーを上記第一の循環経路と異なる第二の循環経路で加熱する第二熱交換器とを有するので、第一の循環経路でスラリーを予熱しつつ、この第一の循環経路による予熱と独立して第二の循環経路で予熱後のスラリーを加熱することができる。つまり、当該固形燃料の製造装置は、第一の循環経路でスラリーの一部を蒸発させ、第二の循環経路にスラリーの全量を通さないことで、各々の循環経路における熱交換効率の最適化を促進することができる。そのため、当該固形燃料の製造装置は、上記スラリーに含まれる水分を効率的に蒸発させることができる。
【００１６】
上記加熱後のスラリーからプロセス蒸気を分離する分離槽と、上記プロセス蒸気を分離槽から第一熱交換器又は第二熱交換器に供給する経路とをさらに備えるとよい。このように、上記加熱後のスラリーからプロセス蒸気を分離する分離槽と、上記プロセス蒸気を分離槽から第一熱交換器又は第二熱交換器に供給する経路とをさらに備えることによって、排熱を効果的に利用することができる。また、かかる構成によると、上記プロセス蒸気の熱量を的確に制御しつつこのプロセス蒸気と上記スラリーとの熱交換率を高めることができる。
【００１７】
なお、本発明において、「低品位炭」とは、多量の水分を含有し、脱水することが望まれる石炭をいい、例えば乾燥ベースで２０質量％以上の水分を含む石炭を意味する。
【発明の効果】
【００１８】
以上説明したように、本発明の固形燃料の製造方法及び固形燃料の製造装置は、熱交換効率を高めることでスラリーに含まれる水分を効率的に蒸発させることができる。
【図面の簡単な説明】
【００１９】
【図１】本発明の第一実施形態に係る固形燃料の製造装置を示す模式図である。
【図２】図１の固形燃料の製造装置とは異なる実施形態に係る固形燃料の製造装置を示す模式図である。
【発明を実施するための形態】
【００２０】
以下、適宜図面を参照しつつ、本発明の実施の形態を詳説する。
【００２１】
［第一実施形態］
＜固形燃料の製造装置＞
図１の固形燃料の製造装置１は、スラリー調製槽２と、複数の加熱器３と、固液分離器４とを主として備える。また、固形燃料の製造装置１は、加熱器３による加熱後のスラリーからプロセス蒸気を分離する分離槽５と、分離槽５によって分離されるプロセス蒸気を圧縮する圧縮器６と、加熱器３によって加熱されたスラリーの加熱状態を維持及び促進する過熱器７と、加熱器３で発生する凝縮液を受容する凝縮液受器８と、分離槽５によって分離されるプロセス蒸気の一部を凝縮する凝縮器９と、凝縮液受器８又は凝縮器９から供給される凝縮液を油水分離する油水分離器１０と、油水分離器１０によって分離された油分を貯留するタンク１１とを有する。
【００２２】
（スラリー調製槽）
スラリー調製槽２は、粉状の低品位炭Ｘ及び油分を混合してスラリーを調製する。スラリー調製槽２の種類としては、特に限定されるものではないが、典型的には攪拌機２ａを備える軸流型攪拌機が挙げられる。なお、「粉状」とは、例えば低品位炭全体の質量に対する粒径１ｍｍ未満の低品位炭の質量割合が８０％以上であることをいう。また、「粒径」とは、ＪＩＳ−Ｚ−８８１５（１９９４）ふるい分け試験法通則における乾式ふるい分けに準拠して測定した値をいう。
【００２３】
上記低品位炭としては、特に限定されるものではなく、例えば褐炭、亜炭、亜瀝青炭等が挙げられる。また、上記褐炭としては、例えばビクトリア炭、ノースダコタ炭、ベルガ炭等が挙げられ、上記亜瀝青炭としては、例えば西バンコ炭、ビヌンガン炭、サマランガウ炭等が挙げられる。
【００２４】
上記油分としては、上記低品位炭に含まれる非揮発性成分を抽出可能であると共に、重質油分及び／又は上記非揮発性成分を溶解して低粘性化を図ることができる限り特に限定されるものではない。中でも、上記油分としては、重質油分及び非揮発性成分との親和性、調製されるスラリーのハンドリング性、上記低品位炭の細孔内への進入容易性等に優れる軽沸油分が好ましく、水分蒸発温度での安定性の点から、沸点が１００℃以上４００℃以下の石油系油がより好ましい。また、上記石油系油としては、例えば灯油、軽油、重油が挙げられ、中でも灯油が好ましい。
【００２５】
なお、上記非揮発性成分とは、元来低品位炭に含まれる非揮発性油分のことをいう。この非揮発性成分は、スラリー調製槽２で混合される上記油分によって抽出されて上記低品位炭の外表面及び細孔内の内表面を被覆することで上記低品位炭の自然発火の防止に寄与する。かかる非揮発性成分としては、例えば芳香族系の高分子有機化合物が挙げられる。
【００２６】
また、上記重質油分とは、例えば４００℃でも実質的に蒸気圧を示さないような重質分又はこれを含む油をいう。この重質油分は、上記非揮発性成分と同様、低品位炭の細孔内において活性点を被覆することで上記低品位炭の自然発火の防止に寄与する。かかる重質油分としては、例えば天然アスファルト、脂肪族系高分子有機化合物、芳香族系高分子有機化合物等が挙げられる。
【００２７】
（加熱器）
複数の加熱器３は、上記スラリーに含まれる水分を蒸発させる。複数の加熱器３は、上記スラリーを第一の循環経路で予熱する第一熱交換器３ａと、第一熱交換器３ａによる予熱後のスラリーを第一の循環経路と異なる第二の循環経路で加熱する第二熱交換器３ｂとを有する。
【００２８】
第一熱交換器３ａは、多管式熱交換器である。第一熱交換器３ａのチューブ側の一端は、配管１２、１３によってスラリー調製槽２の底部と接続されている。また、第一熱交換器３ａのチューブ側の一端は、配管１３によって分離槽５の底部とも接続されている。さらに、第一熱交換器３ａのチューブ側の他端は、配管１４によって分離槽５の側壁上部と接続されている。第一熱交換器３ａと、第一熱交換器３ａのチューブ側の他端及び分離槽５の側壁上部を接続する配管１４と、分離槽５と、分離槽５の底部及び第一熱交換器３ａのチューブ側の一端を接続する配管１３とは、上記第一の循環経路を形成している。
【００２９】
第一熱交換器３ａは、スラリー調製槽２から供給される上記スラリーをチューブ側の一端から導入すると共に、予熱後の上記スラリーをチューブ側の他端に接続される配管１４を通して分離槽５に供給する。スラリー調製槽２で調製される上記スラリーは、配管１２に設置されるポンプ１５によって第一熱交換器３ａに圧送される。また、スラリー調製槽２から第一熱交換器３ａに導入されるスラリーの導入量は、配管１２に配設されるコントロールバルブ１６によって調整される。さらに、第一熱交換器３ａには、分離槽５に供給される上記スラリーが、一端側の配管１３に配設されるポンプ１７によってチューブ側の一端から導入される。なお、スラリー調製槽２と第一熱交換器３ａとを接続する配管１２は、コントロールバルブ１６の上流側においてスラリー調製槽２の側壁上部に接続する配管２５と接続されている。これにより、スラリー調製槽２から送られる上記スラリーの一部は、コントロールバルブ１６による流量の調整に従い、配管２５を通してスラリー調製槽２内に還流される。
【００３０】
また、第一熱交換器３ａは、分離槽５の上部から回収されるプロセス蒸気を加熱媒体としてシェル側の一端から導入すると共に、チューブ側に導入される上記スラリーとの熱交換によって生じるプロセス蒸気の凝縮液をシェル側の他端から凝縮液受器８に排出する。具体的には、分離槽５の上部と第一熱交換器３ａのシェル側の一端とが配管１８、１９によって接続されている。かかる構成によって、分離槽５で分離されたプロセス蒸気は、配管１８、１９を通してシェル側の一端から導入される。この配管１８、１９は、上記プロセス蒸気を分離槽５から第一熱交換器３ａに供給する経路を形成している。
【００３１】
第一熱交換器３ａは、スラリー調製槽２から供給される上記スラリーに加えて分離槽５から供給される上記スラリーをチューブ側の一端から導入するので、チューブ側の一端から導入される上記スラリーの温度が適度に高められる。そのため、第一熱交換器３ａは、上記プロセス蒸気との熱交換によって上記スラリーの温度を十分に高めることができる。その結果、第一熱交換器３ａにより、チューブ側の他端と分離槽５の側壁上部とを接続する配管１４を通して分離槽５に供給する上記スラリーの一部を分離槽５内で蒸発させることができる。
【００３２】
第二熱交換器３ｂは、多管式熱交換器である。第二熱交換器３ｂのチューブ側の一端は、配管２０によって分離槽５の底部と接続されている。また、第二熱交換器３ｂのチューブ側の他端は、配管２１により分離槽５の側壁上部と接続されている。第二熱交換器３ｂと、第二熱交換器３ｂのチューブ側の他端及び分離槽５の側壁上部を接続する配管２１と、分離槽５と、分離槽５の底部及び第二熱交換器３ｂのチューブ側の一端を接続する配管２０とは、上記第二の循環経路を形成している。
【００３３】
第二熱交換器３ｂは、分離槽５に供給される上記スラリーを配管２０に配設されるポンプ２２によってチューブ側の一端から導入する。また、第二熱交換器３ｂは、加熱後の上記スラリーをチューブ側の他端からこのチューブ側の他端と分離槽５の側壁上部とを接続する配管２１を通して分離槽５に供給する。
【００３４】
また、第二熱交換器３ｂは、外部から導入される外部導入蒸気Ｓをシェル側の一端から導入すると共に、上記スラリーとの熱交換後に生じる凝縮水Ｗをシェル側の他端から系外に排出する。
【００３５】
第二熱交換器３ｂは、分離槽５から供給される上記スラリーをチューブ側の一端から導入するので、チューブ側の一端から導入される上記スラリーの温度は外部導入蒸気Ｓとの熱交換によって十分高められている。その結果、第二熱交換器３ｂにより、配管２１を通して分離槽５に供給する上記スラリーを分離槽５内で十分に蒸発させることができる。
【００３６】
（分離槽）
分離槽５は、第一熱交換器３ａのチューブ側の他端から送られる予熱後の上記スラリー及び第二熱交換器３ｂのチューブ側の他端から送られる加熱後の上記スラリーを側壁上部から導入する。また、分離槽５は、第一熱交換器３ａ及び第二熱交換器３ｂから導入される上記スラリーからプロセス蒸気を分離した上、配管１８を通して圧縮器６に供給する。さらに、分離槽５は、上記プロセス蒸気分離後のスラリーの一部を底部から第一熱交換器３ａに供給する。また、分離槽５は、上記プロセス蒸気分離後のスラリーの一部を底部から第二熱交換器３ｂに供給する。加えて、分離槽５は、上記プロセス蒸気分離後のスラリーの一部を配管１３、２３を通して第一の循環経路から過熱器７に供給する。なお、分離槽５には攪拌機５ａが配設されており、この攪拌機５ａによって分離槽５内の上記スラリーが撹拌される。また、分離槽５から過熱器７に供給されるスラリーの供給量は、配管２３に配設されるコントロールバルブ２４によって分離槽５内の液面高さを加味しながら調整される。
【００３７】
（圧縮器）
圧縮器６は、分離槽５から供給されるプロセス蒸気を昇圧する。圧縮器６は、入口側が配管１８によって分離槽５の上壁と接続されると共に、出口側が配管１９によって第一熱交換器３ａのシェル側の一端と接続される。圧縮器６で昇圧されたプロセス蒸気（以下「圧縮プロセス蒸気」ともいう。）は、配管１９を通して第一熱交換器３ａのシェル側の一端に導入され、第一熱交換器３ａのチューブ側の一端から導入される上記スラリーと熱交換を行う。
【００３８】
なお、分離槽５から圧縮器６へのプロセス蒸気の供給量は、分離槽５と圧縮器６とを接続する配管１８に配設される第一圧力コントロールバルブ２６、並びに圧縮器６をバイパスし分離槽５と凝縮器９とを接続する配管２７に配設される第二圧力コントロールバルブ２８によって調整することができる。
【００３９】
（過熱器）
過熱器７は、過熱槽７ａと多管式熱交換器である第三熱交換器７ｂとを有する。過熱器７は、分離槽５から供給される水分蒸発後のスラリー（以下「脱水スラリー」ともいう。）の温度の低下を防止して上記脱水スラリーの脱水を促進しつつ、固液分離装置４への上記脱水スラリーの供給量を調整する。
【００４０】
過熱槽７ａは、配管１３、２３を通して分離槽５から供給される脱水スラリーを導入する。また、過熱槽７ａは、その底部と第三熱交換器７ｂのチューブ側の一端とを接続する配管３０を通して上記脱水スラリーの一部を第三熱交換器７ｂに供給する。さらに、過熱槽７ａは、第三熱交換器７ｂのチューブ側の他端から送られる熱交換後の上記脱水スラリーを配管３１を通して側壁上部から導入する。また、過熱槽７ａの底部は、配管３２によって固液分離機４と接続されている。過熱槽７ａは、配管３２に配設されるポンプ３３によって上記脱水スラリーの一部を固液分離器４に供給する。また、過熱槽７ａから固液分離器４への上記脱水スラリーの供給量は、コントロールバルブ３６によって調整される。なお、過熱槽７ａには攪拌機７ｃが配設されており、この攪拌機７ｃにより過熱槽７ａ内の上記脱水スラリーが撹拌される。
【００４１】
第三熱交換器７ｂは、過熱槽７ａから供給される上記脱水スラリーをチューブ側の一端から導入した上、熱交換後の上記脱水スラリーをチューブ側の他端から過熱槽７ａに供給する。また、第三熱交換器７ｂは、外部から導入される外部導入蒸気Ｓをシェル側の一端から導入すると共に、上記脱水スラリーとの熱交換後に生じる凝縮水Ｗをシェル側の他端から系外に排出する。過熱槽７ａ内の上記脱水スラリーは、配管３０に配設されるポンプ３５によって第三熱交換器６ｂのチューブ側の一端に圧送される。
【００４２】
（固液分離器）
固液分離器４は、上記脱水スラリーから液分を除去する。詳細には、固液分離器４は、過熱槽７ａから供給される上記脱水スラリーから油分Ａを分離する。固液分離器４によって上記脱水スラリーから油分Ａが分離されることで固形分Ｂ（ケーキ）が得られる。固液分離器４としては、例えば遠心分離法によって上記脱水スラリーを固形分と油分とに分離する遠心分離機が挙げられる。また、固液分離器４としては、例えば沈降槽、濾過機、圧搾機等も採用可能である。
【００４３】
なお、当該固形燃料の製造装置１は、固液分離器４によって分離された固形分Ｂに含まれる油分を蒸発するための乾燥機（図示せず）をさらに有していてもよい。当該固形燃料の製造装置１は、かかる乾燥機を有することによって、上記固形分Ｂに含まれる油分を蒸発させ、粉末状の固形燃料を製造することができる。また、この乾燥の際に、低品位炭の外面及び細孔内面を非揮発性成分によって被覆し、自然発火が防止された粉末状の固形燃料を得ることができる。
【００４４】
さらに、当該固形燃料の製造装置１は、このようにして得られた粉末状の固形燃料を圧縮成型するための圧縮成型機（図示せず）をさらに有していてもよい。また、上記圧縮成型機としては、例えば打錠成型機（タブレッティング）、ダブルロール成型機（ロールプレス）等が挙げられる。
【００４５】
＜固形燃料の製造方法＞
次に、当該固形燃料の製造方法について説明する。また、以下では、図１の当該固形燃料の製造装置１を用いた場合について説明する。当該固形燃料の製造方法は、粉状の低品位炭及び油分の混合によりスラリーを調製する工程と、加熱により上記スラリーに含まれる水分を蒸発させる工程と、上記蒸発後のスラリーを固液分離する工程とを備える。
【００４６】
（スラリー調製工程）
上記スラリー調製工程は、スラリー調製槽２を用いて行われる。スラリー調製工程で用いられる低品位炭及び油分としては、図１の当該固形燃料の製造装置１で用いられるものと同様である。
【００４７】
（蒸発工程）
上記蒸発工程は、上記スラリーを第一の循環経路で予熱する工程と、上記予熱後のスラリーを上記第一の循環経路と異なる第二の循環経路によって加熱する工程とを有する。上記蒸発工程は、複数の加熱器３及び分離器４を用いて行われる。
【００４８】
（予熱工程）
上記予熱工程は、スラリー調製工程で混合される上記スラリー及び分離槽５の底部から配管１３を通して送られる上記スラリーを第一熱交換器３ａのチューブ側の一端から導入し、かつチューブ側の他端から分離槽５に供給する。また同時に、上記予熱工程は、加熱媒体を第一熱交換器３ａのシェル側の一端から導入し、上記スラリーとの熱交換によって上記加熱媒体が凝縮することで生じる凝縮液をシェル側の他端から排出する。また、第一熱交換器３ｂのシェル側の一端に導入される加熱媒体として、分離槽５の上部から配管１８、１９を通して供給されるプロセス蒸気を用いる。詳細には、第一熱交換器３ｂのシェル側の一端に導入される上記プロセス蒸気として、配管１８、１９に連結される圧縮器６で圧縮された圧縮プロセス蒸気を用いる。
【００４９】
上記予熱工程は、スラリー調製工程で混合される上記スラリーに加えて分離槽５の底部から供給される上記スラリーを第一熱交換器３ａのチューブ側の一端から導入するため、チューブ側の一端から導入される上記スラリーの温度が適度に高められる。そのため、上記予熱工程は、上記スラリーとプロセス蒸気との熱交換によって上記スラリーの温度を十分に高めることができる。その結果、上記予熱工程によって予熱された上記スラリーの一部は分離槽５内で蒸発する。
【００５０】
第一熱交換器３ａへの上記スラリーの供給温度の下限としては、６０℃が好ましく、６３℃がより好ましく、６５℃がさらに好ましい。一方、第一熱交換器３ａへの上記スラリーの供給温度の上限としては、９０℃が好ましく、８５℃がより好ましく、８０℃がさらに好ましい。第一熱交換器３ａへの上記スラリーの供給温度が上記下限未満の場合、プロセス蒸気との熱交換によって十分に温度を高められないおそれがある。逆に、第一熱交換器３ａへの上記スラリーの供給温度が上記上限を超える場合、熱交換器３ａでの交換熱量を大きくすることができず、プロセス蒸気の熱を上記スラリーに十分供給することができないおそれがある。また、その結果、プロセス蒸気が潜熱を持ったまま、凝縮することなく廃棄されるおそれがある。さらに、第一熱交換器３ａへの上記スラリーの供給温度が上記上限を超える場合、上記スラリーが第一熱交換器３ａに供給される前に蒸発するおそれがあり、これにより配管１３内の閉塞が発生するおそれがある。
【００５１】
上記圧縮プロセス蒸気の圧力の下限としては、０．５ＭＰａＧが好ましく、０．５３ＭＰａＧがより好ましく、０．５５ＭＰａＧがさらに好ましい。一方、上記圧縮プロセス蒸気の圧力の上限としては、０．６５ＭＰａＧが好ましく、０．６２ＭＰａＧがより好ましく、０．６ＭＰａＧがさらに好ましい。上記圧縮プロセス蒸気の圧力が上記下限未満の場合、第一熱交換器３ａのチューブ側の一端から導入される上記スラリーと十分に熱交換できないおそれがある。逆に、上記圧縮プロセス蒸気の圧力が上記上限を超える場合、設備コスト及び運転コストが増加するおそれがある。
【００５２】
また、上記圧縮プロセス蒸気の温度の下限としては、１８５℃が好ましく、１９０℃がより好ましい。一方、上記圧縮プロセス蒸気の温度の上限としては、２０５℃が好ましく、２００℃がより好ましい。上記圧縮プロセス蒸気の温度が上記下限未満の場合、第一熱交換器３ａのチューブ側の一端から導入される上記スラリーと十分に熱交換できないおそれがある。逆に、上記圧縮プロセス蒸気の温度が上記上限を超える場合、設備コスト及び運転コストが増加するおそれがある。
【００５３】
なお、上記予熱工程において、第一熱交換器３ａのシェル側の他端から排出される凝縮液は、凝縮液受器８に送られた上、油水分離器１０に供給される。油水分離器１０で分離された油分は、ポンプ２９によってタンク１１に圧送した上、ポンプ３７によってスラリー調製槽２に圧送して上記スラリー調製工程で再利用してもよい。一方、油水分離器１０で分離された水分は、廃水Ｃとしてポンプ３８によって廃棄される。
【００５４】
（加熱工程）
上記加熱工程は、分離槽５の底部から供給される上記スラリーを第二熱交換器３ｂのチューブ側の一端から導入し、かつチューブ側の他端から分離槽５に供給する。また同時に、上記加熱工程は、加熱媒体を第二熱交換器３ｂのシェル側の一端から導入し、かつ上記スラリーとの熱交換後に生じる凝縮水Ｗをシェル側の他端から排出する。上記加熱工程は、第二熱交換器３ｂのシェル側の一端に導入される加熱媒体として、外部導入蒸気Ｓを用いる。
【００５５】
第二熱交換器３ｂへの上記外部導入蒸気Ｓの供給圧の下限としては、０．４ＭＰａＧが好ましく、０．５ＭＰａＧがより好ましい。一方、第二熱交換器３ｂへの上記外部導入蒸気Ｓの供給圧の上限としては、０．７ＭＰａＧが好ましく、０．６ＭＰａＧがより好ましい。第二熱交換器３ｂへの上記外部導入蒸気Ｓの供給圧が上記下限未満の場合、飽和温度が低下し上記外部導入蒸気Ｓの温度を分離槽５内の温度以上に高められず、上記スラリーを十分加熱できないおそれがある。逆に、第二熱交換器３ｂへの上記外部導入蒸気Ｓの供給圧が上記上限を超える場合、設備コスト及び運転コストが増加するおそれがある。
【００５６】
また、第二熱交換器３ｂへの上記外部導入蒸気Ｓの供給温度の下限としては、１５０℃が好ましく、１５５℃がより好ましい。一方、第二熱交換器３ｂへの上記外部導入蒸気Ｓの供給温度の上限としては、１７０℃が好ましく、１６５℃がより好ましい。第二熱交換器３ｂへの上記外部導入蒸気Ｓの供給温度が上記下限未満の場合、上記外部導入蒸気Ｓの温度が分離槽５内の温度以上とならず、上記スラリーを十分に加熱できないおそれがある。逆に、第二熱交換器３ｂへの上記外部導入蒸気Ｓの供給温度が上記上限を超える場合、設備コスト及び運転コストが増加するおそれがある。
【００５７】
また、分離槽５内の圧力の下限としては、０．２ＭＰａＧが好ましく、０．２５ＭＰａＧがより好ましい。一方、分離槽５内の圧力の上限としては、０．４ＭＰａＧが好ましく、０．３５ＭＰａＧがより好ましい。分離槽５内の圧力が上記下限未満の場合、上記スラリーの蒸発率が十分に向上しないおそれがあると共に、スラリーの蒸発率を向上するために外部導入蒸気Ｓの圧力を過度に高める必要が生じるおそれがある。逆に、分離槽５内の圧力が上記上限を超える場合、設備コストが増加するおそれがある。
【００５８】
（固液分離工程）
上記固液分離工程は、固液分離器４を用いて行われる。上記固液分離工程は、上記蒸発工程による水分蒸発後の脱水スラリーから液分を除去する。詳細には、上記固液分離工程は、上記脱水スラリーから油分Ａを分離する。上記固液分離工程によって上記脱水スラリーから上記油分Ａが分離されることで固形分Ｂ（ケーキ）が得られる。
【００５９】
なお、上記固液分離工程によって分離された上記固形分Ｂは、別途設けられる乾燥工程によってさらに油分が蒸発されることで粉末状の固形燃料として得られる。また、この乾燥工程において、低品位炭の外面及び細孔内面が非揮発性成分によって被覆される。これにより、自然発火が防止された粉末状の固形燃料を得ることができる。
【００６０】
（その他の工程）
当該固形燃料の製造方法は、上記スラリー調製工程、蒸発工程、固液分離工程及び乾燥工程の他、上記蒸発工程で得られた脱水スラリーの温度の低下を防止しつつ上記脱水スラリーの脱水を促進する過熱工程、上記乾燥工程で得られた粉末状の固形燃料を圧縮成型する圧縮成型工程等をさらに有していてもよい。
【００６１】
＜利点＞
当該固形燃料の製造方法は、スラリーを第一の循環経路で予熱する工程と、予熱後のスラリーを第一の循環系路と異なる第二の循環経路で加熱する工程とを有するので、第一の循環経路でスラリーを予熱しつつ、この第一の循環経路による予熱と独立して第二の循環経路で予熱後のスラリーを加熱することができる。つまり、当該固形燃料の製造方法は、第一の循環経路でスラリーの一部を蒸発させ、第二の循環経路にスラリーの全量を通さないことで、各々の循環経路における熱交換効率の最適化を促進することができる。従って、当該固形燃料の製造方法は、上記スラリーに含まれる水分を効率的に蒸発させることができる。
【００６２】
当該固形燃料の製造方法は、上記予熱工程及び加熱工程で、多管式熱交換器を用い、シェル側に加熱媒体、チューブ側に上記スラリーを供給することによって、上記スラリーを容易かつ確実に予熱及び加熱することができる。
【００６３】
当該固形燃料の製造方法は、上記予熱工程の加熱媒体として上記蒸発工程で発生するプロセス蒸気を用いることによって、排熱を効果的に利用することができる。また、当該固形燃料の製造方法は、上記予熱工程の加熱媒体として上記蒸発工程で発生するプロセス蒸気を用い、上記加熱工程の加熱媒体として外部導入蒸気を用いることによって、各々の循環経路における熱交換率を容易かつ確実に高めることができる。さらに、このような構成によると、操業トラブル等によってプロセス蒸気の発生量が減少した場合でも、他方の加熱媒体として外部導入蒸気を用いているので上記スラリーに含まれる水分の蒸発率の低下を抑制することができる。
【００６４】
当該固形燃料の製造方法は、上記予熱工程の加熱媒体として上記プロセス蒸気を用い、上記加熱工程の加熱媒体として外部導入蒸気を用いることによって、上記予熱工程における上記スラリー及びプロセス蒸気の熱交換率を容易かつ確実に高めることができる。つまり、当該固形燃料の製造方法は、上記予熱工程に供給される上記スラリーがある程度の温度を有するので、このスラリーとプロセス蒸気とを熱交換することによって、上記スラリーを効率的に予熱することができると共に、上記プロセス蒸気の凝縮を促進することができる。そのため、当該固形燃料の製造方法は、上記予熱工程における上記プロセス蒸気の熱変換率を高めることで排熱を効率的に利用することができる。特に、当該固形燃料の製造方法は、第一熱交換器３ａに導入される上記スラリーの供給温度、圧縮器６によって昇圧された圧縮プロセス蒸気の圧力等を上記範囲に調整することによって、上記プロセス蒸気の全凝縮を促進することができ、これにより分離槽５によって分離されたプロセス蒸気の全量を圧縮器６に供給することが可能となる。
【００６５】
当該固形燃料の製造方法は、上記プロセス蒸気が圧縮されていることによって、上記予熱工程における上記スラリー及びプロセス蒸気の熱交換率をさらに高めることで排熱をさらに効率的に利用することができる。また、当該固形燃料の製造方法は、上記予熱工程において上記プロセス蒸気の凝縮を促進することができるので、上記蒸発工程で発生するプロセス蒸気の十分な量を圧縮に用いることができる。その結果、上記スラリー及びプロセス蒸気の熱交換量を飛躍的に高めることができる。
【００６６】
当該固形燃料の製造装置１は、スラリーを第一の循環経路で予熱する第一熱交換器３ａと、予熱後のスラリーを上記第一の循環経路と異なる第二の循環経路で加熱する第二熱交換器３ｂとを有するので、第一の循環経路でスラリーを予熱しつつ、この第一の循環経路による予熱と独立して第二の循環経路で予熱後のスラリーを加熱することができる。つまり、当該固形燃料の製造装置１は、第一の循環経路でスラリーの一部を蒸発させ、第二の循環経路にスラリーの全量を通さないことで、各々の循環経路における熱交換効率の最適化を促進することができる。従って、当該固形燃料の製造装置１は、上記スラリーに含まれる水分を効率的に蒸発させることができる。
【００６７】
当該固形燃料の製造装置１は、上記加熱後のスラリーからプロセス蒸気を分離する分離槽５と、上記プロセス蒸気を分離槽５から第一熱交換器３ａに供給する経路とを備えるので、排熱を効果的に利用することができる。また、当該固形燃料の製造装置１は、上記プロセス蒸気の熱量を的確に制御しつつこのプロセス蒸気と上記スラリーとの熱交換率を高めることができる。
【００６８】
［第二実施形態］
＜固形燃料の製造装置＞
図２の固形燃料の製造装置４１は、スラリー調製槽２と、複数の加熱器４２と、固液分離器４とを主として備える。図２の固形燃料の製造装置４１は、加熱器４２を用いた予熱及び加熱の仕組みが異なる以外、図１の固形燃料の製造装置１と同様である。従って、以下においては加熱器４２の構成及び加熱器４２を用いた予熱及び加熱の仕組みについてのみ説明する。
【００６９】
（加熱器）
複数の加熱器４２は、スラリー調製槽２で調製されたスラリーに含まれる水分を蒸発させる。複数の加熱器４２は、上記スラリーを第一の循環経路で予熱する第一熱交換器４２ａと、第一熱交換器４２ａによる予熱後のスラリーを第一の循環経路と異なる第二の循環経路で加熱する第二熱交換器４２ｂとを有する。
【００７０】
第一熱交換器４２ａは、多管式熱交換器である。第一熱交換器４２ａのチューブ側の一端は、配管１２、４３によってスラリー調製槽２の底部と接続されている。また、第一熱交換器４２ａのチューブ側の一端は、配管４３によって分離槽５の底部とも接続されている。さらに、第一熱交換器４２ａのチューブ側の他端は、配管４４によって分離槽５の側壁上部と接続されている。第一熱交換器４２ａと、第一熱交換器４２ａのチューブ側の他端及び分離槽５の側壁上部を接続する配管４４と、分離槽５と、分離槽５の底部及び第一熱交換器４２ａのチューブ側の一端を接続する配管４３とは、第一の循環経路を形成している。
【００７１】
第一熱交換器４２ａは、スラリー調製槽２から供給される上記スラリーをチューブ側の一端から導入すると共に、予熱後の上記スラリーをチューブ側の他端に接続される配管４４を通して分離槽５に供給する。また、第一熱交換器４２ａには、分離槽５に供給される上記スラリーが、一端側の配管４３に配設されるポンプ４５によってチューブ側の一端から導入される。
【００７２】
また、第一熱交換器４２ａは、外部から導入される外部導入蒸気Ｓをシェル側の一端から導入すると共に、上記スラリーとの熱交換後に生じる凝縮水Ｗをシェル側の他端から系外に排出する。
【００７３】
第一熱交換器４２ａは、スラリー調製槽２から供給される上記スラリーに加えて分離槽５から供給される上記スラリーをチューブ側の一端から導入するので、チューブ側の一端から導入される上記スラリーの温度が適度に高められる。そのため、第一熱交換器４２ａは、上記外部導入蒸気との熱交換によって上記スラリーの温度を十分に高めることができる。その結果、第一熱交換器４２ａにより、配管４４を通して分離槽５に供給する上記スラリーの一部を分離槽５内で蒸発させることができる。
【００７４】
第二熱交換器４２ｂは、多管式熱交換器である。第二熱交換器４２ｂのチューブ側の一端は、配管４６によって分離槽５の底部と接続されている。また、第二熱交換器４２ｂのチューブ側の他端は、配管４７によって分離槽５の側壁上部と接続されている。第二熱交換器４２ｂと、第二熱交換器４２ｂのチューブ側の他端及び分離槽５の側壁上部を接続する配管４７と、分離槽５と、分離槽５の底部及び第二熱交換器４２ｂのチューブ側の一端を接続する配管４６とは、第二の循環経路を形成している。
【００７５】
第二熱交換器４２ｂは、分離槽５に供給される上記スラリーを配管４６に配設されるポンプ４８によってチューブ側の一端から導入する。また、第二熱交換器４２ｂは、加熱後の上記スラリーをチューブ側の他端からこのチューブ側の他端と分離槽５の側壁上部とを接続する配管４７を通して分離槽５に供給する。
【００７６】
また、第二熱交換器４２ｂは、分離槽５の上部から回収されるプロセス蒸気を加熱媒体としてシェル側の一端から導入すると共に、チューブ側に導入される上記スラリーとの熱交換により生じるプロセス蒸気の凝縮液をシェル側の他端から凝縮液受器８に排出する。具体的には、分離槽５の上部と第二熱交換器４２ｂのシェル側の一端とが配管１８、１９によって接続されている。かかる構成によって、分離槽５で分離されたプロセス蒸気は、配管１８、１９を通してシェル側の一端から導入される。この配管１８、１９は、上記プロセス蒸気を分離槽５から第二熱交換器４２ｂに供給する経路を形成している。
【００７７】
第二熱交換器４２ｂは、分離槽５から供給される上記スラリーをチューブ側の一端から導入するので、チューブ側の一端から導入される上記スラリーの温度は十分高められている。そのため、第二熱交換器４２ｂに導入される上記スラリーは、第二熱交換器４２ｂで上記プロセス蒸気と熱交換されることによって分離槽５内で十分に蒸発する。
【００７８】
＜固形燃料の製造方法＞
続いて、図２の当該固形燃料の製造装置４１を用いた当該固形燃料の製造方法について説明する。当該固形燃料の製造方法は、粉状の低品位炭及び油分の混合によりスラリーを調製する工程と、加熱により上記スラリーに含まれる水分を蒸発させる工程と、上記蒸発後のスラリーを固液分離する工程とを備える。当該固形燃料の製造装置４１を用いた当該固形燃料の製造方法におけるスラリー調製工程及び固液分離工程は、図１の固形燃料の製造装置１を用いた当該固形燃料の製造方法と同様のため説明を省略する。
【００７９】
（予熱工程）
上記予熱工程は、スラリー調製工程で混合される上記スラリー及び分離槽５の底部から配管４５を通して送られる上記スラリーを第一熱交換器４２ａのチューブ側の一端から導入し、かつチューブ側の他端から分離槽５に供給する。また同時に、上記予熱工程は、加熱媒体を第一熱交換器４２ａのシェル側の一端から導入し、上記スラリーとの熱交換により上記加熱媒体が凝縮することで生じる凝縮水Ｗをシェル側の他端から排出する。また、第一熱交換器４２ａのシェル側の一端に導入される加熱媒体として、外部導入蒸気Ｓを用いる。
【００８０】
第一熱交換器４２ａへの上記外部導入蒸気Ｓの供給圧の下限としては、０．４ＭＰａＧが好ましく、０．５ＭＰａＧがより好ましい。一方、第一熱交換器３２ａへの上記外部導入蒸気Ｓの供給圧の上限としては、０．７ＭＰａＧが好ましく、０．６ＭＰａＧがより好ましい。第一熱交換器３２ａへの上記外部導入蒸気Ｓの供給圧が上記下限未満の場合、飽和温度が低下し上記外部導入蒸気Ｓの温度を分離槽５内の温度以上に高められず、上記スラリーを十分加熱できないおそれがある。逆に、第一熱交換器３２ａへの上記外部導入蒸気Ｓの供給圧が上記上限を超える場合、設備コスト及び運転コストが増加するおそれがある。
【００８１】
また、第一熱交換器３２ａへの上記外部導入蒸気Ｓの供給温度の下限としては、１５０℃が好ましく、１５５℃がより好ましい。一方、第一熱交換器３２ａへの上記外部導入蒸気Ｓの供給温度の上限としては、１７０℃が好ましく、１６５℃がより好ましい。第一熱交換器３２ａへの上記外部導入蒸気Ｓの供給温度が上記下限未満の場合、上記外部導入蒸気Ｓの温度が分離槽５内の温度以上とならず、上記スラリーを十分に加熱できないおそれがある。逆に、第一熱交換器３２ａへの上記外部導入蒸気Ｓの供給温度が上記上限を超える場合、設備コスト及び運転コストが増加するおそれがある。
【００８２】
なお、上記予熱工程における第一熱交換器４２ａへの上記スラリーの供給温度としては、図１の固形燃料の製造装置１を用いた当該固形燃料の製造方法と同様とすることができる。
【００８３】
（加熱工程）
上記加熱工程は、分離槽５の底部から供給される上記スラリーを第二熱交換器４２ｂのチューブ側の一端から導入し、かつチューブ側の他端から分離槽５に供給する。また同時に、上記加熱工程は、加熱媒体を第二熱交換器４２ｂのシェル側の一端から導入し、かつ上記スラリーとの熱交換後に生じる凝縮液をシェル側の他端から排出する。また、第二熱交換器４２ｂのシェル側の一端に導入される加熱媒体として、分離槽５の上部から配管１８、１９を通して供給されるプロセス蒸気を用いる。詳細には、第二熱交換器４２ｂのシェル側の一端に導入される上記プロセス蒸気として、配管１８、１９に連結される圧縮器６で圧縮された圧縮プロセス蒸気を用いる。
【００８４】
上記圧縮プロセス蒸気の圧力の下限としては、０．５ＭＰａＧが好ましく、０．５３ＭＰａＧがより好ましく、０．５５ＭＰａＧがさらに好ましい。一方、上記圧縮プロセス蒸気の圧力の上限としては、０．６５ＭＰａＧが好ましく、０．６２ＭＰａＧがより好ましく、０．６ＭＰａＧがさらに好ましい。上記圧縮プロセス蒸気の圧力が上記下限未満の場合、第二熱交換器４２ｂのチューブ側の一端から導入される上記スラリーと十分に熱交換できないおそれがある。逆に、上記圧縮プロセス蒸気の圧力が上記上限を超える場合、設備コスト及び運転コストが増加するおそれがある。
【００８５】
また、上記圧縮プロセス蒸気の温度の下限としては、１８５℃が好ましく、１９０℃がより好ましい。一方、上記圧縮プロセス蒸気の温度の上限としては、２０５℃が好ましく、２００℃がより好ましい。上記圧縮プロセス蒸気の温度が上記下限未満の場合、第二熱交換器４２ｂのチューブ側の一端から導入される上記スラリーと十分に熱交換できないおそれがある。逆に、上記圧縮プロセス蒸気の温度が上記上限を超える場合、設備コスト及び運転コストが増加するおそれがある。
【００８６】
なお、分離槽５内の圧力としては、図１の固形燃料の製造装置１を用いた当該固形燃料の製造方法と同様とすることができる。
【００８７】
＜利点＞
当該固形燃料の製造方法は、上記加熱工程の加熱媒体として上記蒸発工程で発生するプロセス蒸気を用いることによって、排熱を効果的に利用することができる。また、当該固形燃料の製造方法は、上記加熱工程の加熱媒体として上記蒸発工程で発生するプロセス蒸気を用い、上記予熱工程の加熱媒体として外部導入蒸気を用いることによって、上記プロセス蒸気の熱量を的確に制御しつつこのプロセス蒸気と上記スラリーとの熱交換率を高めることができる。さらに、このような構成によると、操業トラブル等によってプロセス蒸気の発生量が減少した場合でも、他方の加熱媒体として外部導入蒸気を用いているので上記スラリーに含まれる水分の蒸発率の低下を抑制することができる。
【００８８】
当該固形燃料の製造装置４１は、上記加熱後のスラリーからプロセス蒸気を分離する分離槽５と、上記プロセス蒸気を分離槽５から第二熱交換器４２ｂに供給する経路とを備えるので、上記プロセス蒸気の熱量を的確に制御しつつこのプロセス蒸気と上記スラリーとの熱交換率を高めることができる。
【００８９】
［その他の実施形態］
なお、本発明に係る固形燃料の製造方法及び固形燃料の製造装置は、上記態様の他種々の変更、改良を施した態様で実施することができる。例えば、複数の加熱器として、各々独立した循環経路を有する３器以上の熱交換器を用いてもよい。当該固形燃料の製造方法及び固形燃料の製造装置は、このように３器以上の熱交換器を用いることによって、スラリーの蒸発処理量をさらに高めることができる。また、このように３器以上の熱交換器を用いる場合、少なくとも１器の熱交換器の加熱媒体としてプロセス蒸気を使用するのが好ましい。
【００９０】
当該固形燃料の製造方法及び固形燃料の製造装置は、スラリーを第一の循環経路で予熱すると共に、予熱後のスラリーを第一の循環経路とは異なる第二の循環経路で加熱するものである限り、必ずしも予熱工程又は加熱工程で用いる加熱媒体としてプロセス蒸気を用いなくてもよい。また、予熱工程又は加熱工程でプロセス蒸気を用いる場合であっても、このプロセス蒸気は必ずしも圧縮されている必要はない。
【００９１】
さらに、当該固形燃料の製造方法及び固形燃料の製造装置で用いられる熱交換器は必ずしも多管式熱交換器である必要はない。
【００９２】
また、上記分離槽の脱水スラリーは、第一の循環経路から上記過熱器に供給する必要はなく、第二の循環経路から上記過熱器に供給してもよい。
【実施例】
【００９３】
以下、実施例によって本発明をさらに詳細に説明するが、本発明はこれらの実施例に限定されるものではない。
【００９４】
（実施例１）
図１の固形燃料の製造装置１を用い、スラリー調製槽２での低品位炭と灯油との混合によってスラリーを調製した上、このスラリーを第一熱交換器３ａのチューブ側の一端に供給した。また同時に、分離槽５の底部からのスラリーについても上記スラリー調製槽２によって調製されたスラリーとあわせて第一熱交換器３ａのチューブ側の一端に供給した。第一熱交換器３ａに供給されるスラリーの温度を測定したところ、６５℃であった。一方、分離槽５で分離され、圧縮器６によって昇圧された圧縮プロセス蒸気を第一熱交換器３ａのシェル側の一端に供給した。圧縮器６によって昇圧された圧縮プロセス蒸気の圧力は０．５８ＭＰａＧ、温度は１９３℃であった。
【００９５】
また、分離槽５の底部からのスラリーを第二熱交換器３ｂのチューブ側の一端に供給した。第二熱交換器３ｂに供給されるスラリーの温度を測定したところ、１４８℃であった。一方、第二熱交換器３ｂのシェル側の一端から外部導入蒸気を供給した。この外部導入蒸気の供給圧は０．６ＭＰａＧ、供給温度は１６０℃であった。また、第二熱交換器３ｂのチューブ側の他端から分離槽５に送られるスラリーの温度を測定したところ、１４６℃であった。なお、分離槽５内の圧力は０．３０ＭＰａＧに保持されるよう調整した。
【００９６】
（実施例２）
図２の固形燃料の製造装置４１を用い、スラリー調製槽２での低品位炭と灯油との混合によってスラリーを調製した上、このスラリーを第一熱交換器４２ａのチューブ側の一端に供給した。また同時に、分離槽５の底部からのスラリーについても上記スラリー調製槽２によって調製されたスラリーとあわせて第一熱交換器４２ａのチューブ側の一端に供給した。第一熱交換器４２ａに供給されるスラリーの温度を測定したところ、６５℃であった。一方、第一熱交換器４２ａのシェル側の一端から外部導入蒸気を供給した。この外部導入蒸気の供給圧は０．６０ＭＰａＧ、供給温度は１６０℃であった。
【００９７】
また、分離槽５の底部からのスラリーを第二熱交換器４２ｂのチューブ側の一端に供給した。第二熱交換に４２ｂに供給されるスラリーの温度を測定したところ、１４８℃であった。一方、分離槽５で分離され、圧縮器６によって昇圧された圧縮プロセス蒸気を第二熱交換器４２ｂのシェル側の一端に供給した。圧縮器６によって昇圧された圧縮プロセス蒸気の圧力は０．６０ＭＰａＧ、温度は２００℃であった。また、第二熱交換器４２ｂのチューブ側の他端から分離槽５に送られるスラリーの温度を測定したところ、１５０℃であった。なお、分離槽５内の圧力は０．３０ＭＰａＧに保持されるよう調整した。
【００９８】
［第一熱交換器の伝熱性評価］
実施例１の第一熱交換器３ａのシェル側の一端に供給されたプロセス蒸気は熱交換器３ａで全凝縮された。また、これにより圧縮器６へプロセス蒸気を全量供給することが可能となった。さらに、実施例１の第一熱交換器３ａの熱交換量は実施例２の第一熱交換器４２ａの熱交換量に比べて３割増加した。
【００９９】
［第二熱交換器の伝熱性評価］
実施例１の第二熱交換器３ｂではスラリーの供給温度及び排出温度が全体的に上昇したため、外部導入蒸気の熱が顕熱としてよりも潜熱として利用され、小さな温度差でも熱交換量が増加した。具体的には、実施例１の第二熱交換器３ｂの伝熱係数は実施例２の第二熱交換器４２ｂの伝熱係数に比べて約５割増加した。
【産業上の利用可能性】
【０１００】
以上説明したように、本発明の固形燃料の製造方法及び固形燃料の製造装置は、熱交換効率を高めることでスラリーに含まれる水分を効率的に蒸発させることができるので、低コストかつ高効率で固形燃料を得ることができる。
【符号の説明】
【０１０１】
１  固形燃料の製造装置
２  スラリー調製槽
２ａ、５ａ、７ｃ  攪拌機
３  加熱器
３ａ  第一熱交換器
３ｂ  第二熱交換器
４  固液分離器
５  分離槽
６  圧縮器
７  過熱器
７ａ  過熱槽
７ｂ  第三熱交換器
８  凝縮液受器
９  凝縮器
１０  油水分離器
１１  タンク
１２、１３、１４、１８、１９、２０、２１、２３、２５、２７、３０、３１、３２  配管
１５、１７、２２、２９、３３、３５、３７、３８  ポンプ
１６、２４、２６、２８、３６  コントロールバルブ
４１  固形燃料の製造装置
４２  加熱器
４２ａ  第一熱交換器
４２ｂ  第二熱交換器
４３、４４、４６、４７  配管
４５、４８  ポンプ
Ａ  油分
Ｂ  固形分
Ｃ  廃水
Ｓ  外部導入蒸気
Ｘ  低品位炭
Ｗ  凝縮水
【図１】
0006275630.tif 000002
【図２】
0006275630.tif 000003